(57)【特許請求の範囲】
【請求項１】
複数の受信チャンネルのいずれかで外部からの受信信号を受信する受信手段を備え、該受信手段が受信した受信信号からノイズ信号を除去する通信装置において、
複数の電波ノイズ源のそれぞれから発生するノイズ信号を検出する複数の検出手段と、
各受信チャンネルに対応させて、前記検出手段のいずれかを示す検出手段情報及び予め設定されたノイズ除去用パラメータが登録してあるパラメータテーブルと、
前記受信手段が受信信号を受信する際の受信チャンネルに対応する検出手段情報及びノイズ除去用パラメータを前記パラメータテーブルから読み出す読出手段と、
該読出手段が読み出した検出手段情報に基づいて、該検出手段情報が示す検出手段を選択する選択手段と、
該選択手段が選択した検出手段が検出するノイズ信号及び前記読出手段が読み出したノイズ除去用パラメータに基づいて、前記受信手段が受信した受信信号からノイズ信号を除去する除去手段と
を備えることを特徴とする通信装置。
【請求項２】
前記パラメータテーブルには、各受信チャンネル及び動作状態に対応させて、前記検出手段情報及び前記ノイズ除去用パラメータが登録してあり、
動作状態を判定する判定手段を備え、
前記読出手段は、前記受信手段が受信信号を受信する際の受信チャンネル及び前記判定手段が判定した動作状態に対応する検出手段情報及びノイズ除去用パラメータを前記パラメータテーブルから読み出すように構成されていること
を特徴とする請求項１に記載の通信装置。
【請求項３】
複数の使用形態での使用が可能に構成されており、
前記パラメータテーブルには、各受信チャンネル及び各使用形態に対応させて、前記検出手段情報及び前記ノイズ除去用パラメータが登録してあり、
前記判定手段は、使用形態を判定するように構成されており、
前記読出手段は、前記受信手段が受信信号を受信する際の受信チャンネル及び前記判定手段が判定した使用形態に対応する検出手段情報及びノイズ除去用パラメータを前記パラメータテーブルから読み出すように構成されていること
を特徴とする請求項２に記載の通信装置。
【請求項４】
複数のアプリケーションのそれぞれを実行する実行手段を備え、
前記パラメータテーブルには、各受信チャンネル及び前記アプリケーションのいずれかを示す情報に対応させて、前記検出手段情報及び前記ノイズ除去用パラメータが登録してあり、
前記判定手段は、前記実行手段が実行中のアプリケーションを判定するように構成されており、
前記読出手段は、前記受信手段が受信信号を受信する際の受信チャンネル及び前記判定手段が実行中であると判定したアプリケーションに対応する検出手段情報及びノイズ除去用パラメータを前記パラメータテーブルから読み出すように構成されていること
を特徴とする請求項２に記載の通信装置。
【請求項５】
前記判定手段が判定した動作状態に基づいて、動作状態が変更されたか否かを判断する手段を備え、
前記読出手段は、動作状態が変更されたと判断された場合に、前記受信手段が受信信号を受信する際の受信チャンネル及び前記判定手段が判定した動作状態に対応する検出手段情報及びノイズ除去用パラメータを前記パラメータテーブルから読み出すように構成されていること
を特徴とする請求項２乃至４のいずれかひとつに記載の通信装置。
【請求項６】
複数の受信チャンネルのいずれかで外部からの受信信号を受信する受信手段を備え、該受信手段が受信した受信信号からノイズ信号を除去する通信装置において、
複数の電波ノイズ源のそれぞれから発生するノイズ信号を検出する複数の検出手段と、
該検出手段のそれぞれを示す検出手段情報に対応させて、予め設定されたノイズ除去用パラメータが登録してあるパラメータテーブルと、
該パラメータテーブルに登録してある検出手段情報及びノイズ除去用パラメータを順次読み出す読出手段と、
該読出手段が順次読み出す検出手段情報に基づいて、該検出手段情報が示す検出手段を順次選択する選択手段と、
該選択手段が順次選択する検出手段が検出するノイズ信号及び前記読出手段が順次読み出すノイズ除去用パラメータに基づいて、前記受信手段が受信した受信信号からノイズ信号を順次除去する除去手段と、
該除去手段がノイズ信号を除去した受信信号の通信品質を示す通信品質情報を順次取得する取得手段と、
該取得手段が取得した通信品質情報のうちで最良の通信品質情報に対応する検出手段情報及びノイズ除去用パラメータを特定する特定手段とを備え、
前記選択手段は、前記特定手段が特定した検出手段情報に基づいて、該検出手段情報が示す検出手段を選択するように構成されており、
前記除去手段は、前記特定手段が特定した検出手段情報に基づいて前記選択手段が選択した検出手段が検出するノイズ信号及び前記特定手段が特定したノイズ除去用パラメータに基づいて、前記受信手段が受信した受信信号からノイズ信号を除去するように構成されていること
を特徴とする通信装置。
【請求項７】
前記取得手段は、受信信号の通信品質を示す通信品質情報を随時取得するように構成されており、
前記取得手段が通信品質情報を取得する都度、前記通信品質情報が示す通信品質が所定範囲内であるか否かを判断する手段を備え、
前記読出手段は、通信品質が所定範囲内でないと判断された場合、前記パラメータテーブルに登録してある検出手段情報及びノイズ除去用パラメータを順次読み出すように構成されていること
を特徴とする請求項６に記載の通信装置。
【請求項８】
複数の受信チャンネルのいずれかで外部からの受信信号を受信する受信手段を備える通信装置が、前記受信手段が受信した受信信号からノイズ信号を除去するノイズ除去方法において、
前記受信手段が受信信号を受信する際の受信チャンネルに対応して、複数の電波ノイズ源のそれぞれから発生するノイズ信号を検出する複数の検出手段のいずれか及び予め設定されたノイズ除去用パラメータを特定する特定ステップと、
該特定ステップで特定した検出手段が検出するノイズ信号及びノイズ除去用パラメータに基づいて、前記受信手段が受信した受信信号からノイズ信号を除去する除去ステップと
を含むことを特徴とするノイズ除去方法。
【請求項９】
複数の受信チャンネルのいずれかで外部からの受信信号を受信する受信手段を備えるコンピュータに、前記受信手段が受信した受信信号からノイズ信号を除去させるためのコンピュータプログラムにおいて、
コンピュータに、
前記受信手段が受信信号を受信する際の受信チャンネルに対応して、複数の電波ノイズ源のそれぞれから発生するノイズ信号を検出する複数の検出手段のいずれか及び予め設定されたノイズ除去用パラメータを特定する特定ステップと、
該特定ステップで特定した検出手段が検出するノイズ信号及びノイズ除去用パラメータに基づいて、前記受信手段が受信した受信信号からノイズ信号を除去する除去ステップと
を実行させるためのコンピュータプログラム。
【発明の詳細な説明】
【技術分野】
【０００１】
本発明は、複数の受信チャンネルのいずれかで外部からの受信信号を受信する通信装置であって、受信信号からノイズ信号を最適に除去する通信装置、該通信装置が行なうノイズ除去方法及び前記通信装置をコンピュータによって実現するためのコンピュータプログラムに関する。
【背景技術】
【０００２】
従来、Ｗ−ＣＤＭＡ（Wideband-Code Division Multiple Access）、ＷＬＡＮ（Wireless Local Area Network）、ワンセグ（１セグメント）放送等の無線インタフェースが搭載された通信装置（例えば、携帯電話機やノートパソコン）において、無線インタフェースを利用するにあたって、本体内部からの電波ノイズが無線モジュールのアンテナに飛び込むことによる伝送帯域の劣化及び通信が途絶える障害等が問題となっている。
【０００３】
近年では、ノイズ源の近くから電波ノイズ（ノイズ信号）を拾い、当該電波ノイズを受信信号からキャンセルするアナログチップが出現している（例えば、特許文献１参照）。また、電波ノイズを受信信号からキャンセルする方式として、例えば図１６に例示するように、ノイズ源からのノイズ信号を受信信号に逆相に加算することにより電波ノイズをキャンセルする方法が知られている（例えば、特許文献２参照）。
【０００４】
図１６は従来の技術について説明するための模式図である。図１６に示した例では、ＧＰＳ（Global Positioning System）受信モジュールから出力される通信品質情報（例えば、ＢＥＲ：Bit Error Rate）が最適となるように、位相振幅調整ＩＣに入力されるＩ，Ｑ信号を合わせ込み、位相振幅調整ＩＣがＩ，Ｑ信号に基づいてノイズ信号を逆相にし、得られた逆相ノイズ信号を受信信号に加算することで受信信号から電波ノイズが最適に除去される。
【特許文献１】特開２００４−２３６１７１号公報
【特許文献２】特開平８−３３５９１５号公報
【発明の開示】
【発明が解決しようとする課題】
【０００５】
ところで、図１６に示したように、ノイズ源の近くから拾ったノイズ信号を逆相にして受信信号に加算することにより電波ノイズを受信信号からキャンセルする技術では、ノイズ源が複数ある場合には、それぞれのノイズ源に対してノイズキャプチャー用アンテナ及び位相振幅調整ＩＣ等を備える必要があり、コストが増大する等の問題がある。また、受信信号を受信する際の受信チャンネルに応じて、受信信号に影響を与えるノイズ源が異なるが、上述した技術では、受信チャンネルに応じて異なるノイズ源から拾ったノイズ信号に基づいてノイズ除去を行なうことは困難である。
【０００６】
本発明は斯かる事情に鑑みてなされたものであり、その目的とするところは、受信信号を受信する際の受信チャンネルに応じてノイズ信号を最適に除去するノイズ除去処理を行なうことが可能な通信装置、ノイズ除去方法及びコンピュータプログラムを提供することにある。
【課題を解決するための手段】
【０００７】
本通信装置の特徴は、複数の受信チャンネルのいずれかで外部からの受信信号を受信する受信手段を備え、該受信手段が受信した受信信号からノイズ信号を除去する通信装置において、複数の電波ノイズ源のそれぞれから発生するノイズ信号を検出する複数の検出手段と、各受信チャンネルに対応させて、前記検出手段のいずれかを示す検出手段情報及び予め設定されたノイズ除去用パラメータが登録してあるパラメータテーブルとを備える点にある。また、本通信装置の特徴は、受信手段が受信信号を受信する際の受信チャンネルに対応する検出手段情報及びノイズ除去用パラメータをパラメータテーブルから読み出し、読み出した検出手段情報に基づいて検出手段を選択し、選択した検出手段が検出するノイズ信号及びパラメータテーブルから読み出したノイズ除去用パラメータに基づいて、受信信号からノイズ信号を除去する点にある。
【０００８】
本通信装置では、各受信チャンネルに対応させて、それぞれの受信チャンネルで受信する受信信号に対して影響を与える電波ノイズ源から発生するノイズ信号を検出する検出手段を示す検出手段情報と、それぞれの受信チャンネルで受信する受信信号から前記ノイズ信号を除去する際のノイズ除去用パラメータとがパラメータテーブルに登録してある。よって、本通信装置によれば、受信チャンネルに基づいてパラメータテーブルから読み出した情報に基づいて、それぞれの受信チャンネルで受信する受信信号に対して影響を与えるノイズ信号を良好に除去することが可能となる。
【０００９】
本通信装置の特徴は、パラメータテーブルに、各受信チャンネル及び動作状態に対応させて、検出手段情報及びノイズ除去用パラメータが登録してあり、動作状態を判定する構成を備える点にある。また、本通信装置の特徴は、受信手段が受信信号を受信する際の受信チャンネル及び判定した動作状態に対応する検出手段情報及びノイズ除去用パラメータをパラメータテーブルから読み出し、読み出した検出手段情報に基づいて検出手段を選択し、選択した検出手段が検出するノイズ信号及びパラメータテーブルから読み出したノイズ除去用パラメータに基づいて、受信信号からノイズ信号を除去する点にある。
【００１０】
本通信装置では、各受信チャンネル及び動作状態に対応させて、それぞれの受信チャンネルで受信する受信信号に対して影響を与える電波ノイズ源から発生するノイズ信号を検出する検出手段を示す検出手段情報と、それぞれの受信チャンネルで受信する受信信号から前記ノイズ信号を除去する際のノイズ除去用パラメータとがパラメータテーブルに登録してある。よって、本通信装置によれば、受信チャンネル及び動作状態に基づいてパラメータテーブルから読み出した情報に基づいて、それぞれの受信チャンネルで受信する受信信号に対して影響を与えるノイズ信号を動作状態に応じて良好に除去することが可能となる。従って、異なる動作状態において受信信号に影響を与える電波ノイズ源が相異する場合であっても、それぞれの動作状態において受信信号に影響を与えるノイズ信号を適切に除去することが可能となる。
【００１１】
本通信装置の特徴は、パラメータテーブルに、各受信チャンネル及び各使用形態に対応させて、検出手段情報及びノイズ除去用パラメータが登録してあり、使用形態を判定する構成を備える点にある。また、本通信装置の特徴は、受信手段が受信信号を受信する際の受信チャンネル及び判定した使用形態に対応する検出手段情報及びノイズ除去用パラメータをパラメータテーブルから読み出し、読み出した検出手段情報に基づいて検出手段を選択し、選択した検出手段が検出するノイズ信号及びパラメータテーブルから読み出したノイズ除去用パラメータに基づいて、受信信号からノイズ信号を除去する点にある。
【００１２】
本通信装置では、各受信チャンネル及び使用形態に対応させて、それぞれの受信チャンネルで受信する受信信号に対して影響を与える電波ノイズ源から発生するノイズ信号を検出する検出手段を示す検出手段情報と、それぞれの受信チャンネルで受信する受信信号から前記ノイズ信号を除去する際のノイズ除去用パラメータとがパラメータテーブルに登録してある。よって、本通信装置によれば、受信チャンネル及び使用形態に基づいてパラメータテーブルから読み出した情報に基づいて、それぞれの受信チャンネルで受信する受信信号に対して影響を与えるノイズ信号を使用形態に応じて良好に除去することが可能となる。従って、異なる使用形態において受信信号に影響を与える電波ノイズ源が相異する場合であっても、それぞれの使用形態において受信信号に影響を与えるノイズ信号を適切に除去することが可能となる。
【００１３】
本通信装置の特徴は、パラメータテーブルに、各受信チャンネル及び複数のアプリケーションのいずれかを示す情報に対応させて、検出手段情報及びノイズ除去用パラメータが登録してあり、実行中のアプリケーションが何かを判定する構成を備える点にある。また、本通信装置の特徴は、受信手段が受信信号を受信する際の受信チャンネル及び実行中のアプリケーションに対応する検出手段情報及びノイズ除去用パラメータをパラメータテーブルから読み出し、読み出した検出手段情報に基づいて検出手段を選択し、選択した検出手段が検出するノイズ信号及びパラメータテーブルから読み出したノイズ除去用パラメータに基づいて、受信信号からノイズ信号を除去する点にある。
【００１４】
本通信装置では、各受信チャンネル及び実行中のアプリケーションに対応させて、それぞれの受信チャンネルで受信する受信信号に対して影響を与える電波ノイズ源から発生するノイズ信号を検出する検出手段を示す検出手段情報と、それぞれの受信チャンネルで受信する受信信号から前記ノイズ信号を除去する際のノイズ除去用パラメータとがパラメータテーブルに登録してある。よって、本通信装置によれば、受信チャンネル及び実行中のアプリケーションに基づいてパラメータテーブルから読み出した情報に基づいて、それぞれの受信チャンネルで受信する受信信号に対して影響を与えるノイズ信号を実行中のアプリケーションの種類に応じて良好に除去することが可能となる。従って、異なるアプリケーションの実行中において受信信号に影響を与える電波ノイズ源が相異する場合であっても、実行中のアプリケーション毎に、受信信号に影響を与えるノイズ信号を適切に除去することが可能となる。
【００１５】
本通信装置の特徴は、動作状態が変更されたか否かを判断し、動作状態が変更されたと判断した場合に、受信手段が受信信号を受信する際の受信チャンネル及び変更された動作状態に対応する検出手段情報及びノイズ除去用パラメータをパラメータテーブルから読み出す点にある。また、本通信装置の特徴は、パラメータテーブルから読み出した検出手段情報に基づいて検出手段を選択し、選択した検出手段が検出するノイズ信号及びパラメータテーブルから読み出したノイズ除去用パラメータに基づいて、受信信号からノイズ信号を除去する点にある。
【００１６】
本通信装置によれば、動作状態が変更された場合に、受信チャンネル及び動作状態に対応する情報をパラメータテーブルから読み出し、読み出した情報に基づいて受信信号からノイズ信号を除去するので、適切なタイミングでノイズ除去処理を行なうことが可能となる。
【００１７】
本通信装置の特徴は、複数の受信チャンネルのいずれかで外部からの受信信号を受信する受信手段を備え、該受信手段が受信した受信信号からノイズ信号を除去する通信装置において、複数の電波ノイズ源のそれぞれから発生するノイズ信号を検出する複数の検出手段と、該検出手段のそれぞれを示す検出手段情報に対応させて、予め設定されたノイズ除去用パラメータが登録してあるパラメータテーブルとを備える点にある。また、本通信装置の特徴は、パラメータテーブルに登録してある検出手段情報及びノイズ除去用パラメータを順次読み出し、読み出した検出手段情報に基づいて検出手段を順次選択し、選択した検出手段が検出するノイズ信号及びパラメータテーブルから読み出したノイズ除去用パラメータに基づいて、受信信号からノイズ信号を順次除去し、ノイズ信号を除去した受信信号の通信品質を示す通信品質情報を順次取得し、最良の通信品質情報に対応する検出手段情報及びノイズ除去用パラメータを特定する点にある。そして、本通信装置の特徴は、特定した検出手段情報に基づいて検出手段を選択し、選択した検出手段が検出するノイズ信号及び特定したノイズ除去用パラメータに基づいて、受信信号からノイズ信号を除去する点にある。
【００１８】
本通信装置では、電波ノイズ源から発生するノイズ信号を検出する検出手段を示す検出手段情報に対応させて、受信信号から前記ノイズ信号を除去する際のノイズ除去用パラメータがパラメータテーブルに登録してある。本通信装置によれば、パラメータテーブルに登録してある検出手段情報及びノイズ除去用パラメータに基づいて、受信信号からノイズ信号を順次除去し、ノイズ信号が除去された受信信号の通信品質のうちで最良の通信品質が得られる検出手段情報及びノイズ除去用パラメータを特定する。そして、特定した検出手段情報及びノイズ除去用パラメータに基づいて受信信号からノイズ信号を除去するので、最良の通信品質が得られるようなノイズ除去処理が可能となる。
【００１９】
本通信装置の特徴は、受信信号の通信品質を示す通信品質情報を随時取得しており、通信品質情報を取得する都度、取得した通信品質情報が示す通信品質が所定範囲内であるか否かを判断し、通信品質が所定範囲内でないと判断された場合、パラメータテーブルに登録してある検出手段情報及びノイズ除去用パラメータの読み出しを開始し、最良の通信品質が得られる検出手段情報及びノイズ除去用パラメータを特定する点にある。
【００２０】
本通信装置によれば、受信信号に基づく通信品質が所定範囲内から外れた場合に、受信信号からノイズ信号を除去する際の最良の検出手段情報及びノイズ除去用パラメータを特定するので、適切なタイミングでノイズ除去処理を行なうことが可能となる。
【００２１】
本ノイズ除去方法の特徴は、複数の受信チャンネルのいずれかで外部からの受信信号を受信する受信手段を備える通信装置が、受信手段が受信した受信信号からノイズ信号を除去するノイズ除去方法において、受信手段が受信信号を受信する際の受信チャンネルに対応して、複数の電波ノイズ源のそれぞれから発生するノイズ信号を検出する複数の検出手段のいずれか及び予め設定されたノイズ除去用パラメータを特定し、特定した検出手段が検出するノイズ信号及びノイズ除去用パラメータに基づいて、受信信号からノイズ信号を除去することにある。
【００２２】
本コンピュータプログラムの特徴は、コンピュータに読み取らせて実行させることにより、上述したような通信装置をコンピュータによって実現することが可能となる点にある。即ち、本コンピュータプログラムをコンピュータに読み取らせて実行させることにより、コンピュータに、受信信号を受信する際の受信チャンネルに対応して、複数の電波ノイズ源のそれぞれから発生するノイズ信号を検出する複数の検出手段のいずれか及び予め設定されたノイズ除去用パラメータを特定させ、特定された検出手段が検出するノイズ信号及びノイズ除去用パラメータに基づいて、受信信号からノイズ信号を除去させる点にある。
【発明の効果】
【００２３】
本通信装置は、それぞれの受信チャンネルで受信する受信信号に対して影響を与える電波ノイズ源と、それぞれの受信チャンネルで受信する受信信号からノイズ信号を良好に除去するためのノイズ除去用パラメータとをパラメータテーブルに基づいて容易に特定することができるという効果を奏する。よって、本通信装置は、このように特定された電波ノイズ源から発生するノイズ信号と、このように特定されたノイズ除去用パラメータとに基づいて、受信信号に対して影響を与えるノイズ信号を受信信号から最適に除去することができるという効果を奏する。
【００２４】
本通信装置は、受信信号に対して影響を与える電波ノイズ源と、受信信号からノイズ信号を良好に除去するためのノイズ除去用パラメータとを対応付けて、受信信号からノイズ信号を除去する処理における設定条件としてパラメータテーブルに複数登録しておき、この設定条件のうちで最良の通信品質が得られる設定条件を用いて受信信号からノイズ信号を除去するので、最良の通信品質が得られるノイズ除去処理の実行が可能となる。
【発明を実施するための最良の形態】
【００２５】
（実施形態１）
以下に、本発明に係る通信装置について、実施形態１を示す図面に基づいて詳述する。図１は実施形態１の通信装置の構成を示すブロック図、図２は実施形態１の通信装置の機能を示す機能ブロック図である。なお、図１及び図２中の矢符はそれぞれ信号の流れを示している。
本実施形態１の通信装置１０は、例えば、本発明に係るコンピュータプログラムをノート型のパーソナルコンピュータ（ノートパソコン）に読み取らせて実行させることによって実現される。なお、本発明の通信装置は、専用のハードウェアを備えた装置によって構成することもできる。
【００２６】
また、本発明に係る通信装置は、パーソナルコンピュータに限られず、携帯電話機、ＰＤＡ（Personal Digital Assistants）等、ネットワークを介して他の通信装置との間で無線通信が可能な装置、ワンセグ放送の受信が可能な装置等に適用することができる。
【００２７】
本実施形態１の通信装置１０は、例えば公知のノートパソコンであり、本発明の通信装置として動作するための主要部として、制御部１、ＲＯＭ２、ＲＡＭ３、ＨＤＤ（Hard Disk Drive ）４、操作部５、表示部６、Ｗ−ＣＤＭＡ受信モジュール７、ノイズ信号検出部８、位相振幅調整ＩＣ（Integrated Circuit）９等を備えており、これらのハードウェア各部はそれぞれバス１ａを介して相互に接続されている。
【００２８】
制御部１は、時計（図示せず）を有するＣＰＵ（Central Processing Unit ）又はＭＰＵ（Micro Processor Unit）等であり、時計が示す所定のタイミングに従って、ＲＯＭ２又はＨＤＤ４に格納してある制御プログラムを適宜ＲＡＭ３に読み出して実行すると共に、上述したハードウェア各部の動作を制御する。ＲＯＭ２は、通信装置１０を本発明の通信装置として動作させるために必要な種々の制御プログラムを予め格納している。ＲＡＭ３はＳＲＡＭ又はフラッシュメモリ等で構成されており、制御部１による制御プログラムの実行時に発生する種々のデータを一時的に記憶する。
【００２９】
ＨＤＤ４は大容量の記憶装置である。ＨＤＤ４は、通信装置１０を本発明の通信装置として動作させるために必要な種々の制御プログラム、図３に示すような切替制御テーブル（パラメータテーブル）４ａ、位相振幅制御処理プログラム４ｂ、各種のアプリケーションプログラム、通信装置１０を操作するユーザに対して各種の情報を通知するための画面情報等を格納している。
【００３０】
制御部１は、ＨＤＤ４に格納されている位相振幅制御処理プログラム４ｂをＲＡＭ３に読み出して実行することにより、図２中の位相振幅制御コントローラ１１としての動作を実現する。なお、切替制御テーブル４ａの登録内容及び位相振幅制御コントローラ１１の動作の詳細については後述する。
【００３１】
操作部５は、キーボード及びマウス等であり、ユーザが通信装置１０を操作するために必要な各種の操作キーを備えている。ユーザにより各操作キーが操作された場合、操作部５は操作された操作キーに対応した制御信号を制御部１へ送出し、制御部１は操作部５から取得した制御信号に対応した処理を実行する。
【００３２】
表示部６は、例えば液晶ディスプレイ（ＬＣＤ：Liquid Crystal Display）で構成され、制御部１からの指示に従って、通信装置１０の動作状態、操作部５を介して入力された情報、ユーザに対して通知すべき情報等を表示する。
【００３３】
Ｗ−ＣＤＭＡ受信モジュール７は、Ｗ−ＣＤＭＡ用アンテナ（以下、通信用アンテナという）７ａに接続されており、最寄りの基地局がＷ−ＣＤＭＡ方式に従って発信した情報を通信用アンテナ７ａを介して受信するためのインタフェースである。通信用アンテナ７ａは、複数の受信チャンネル（受信周波数帯域）のいずれかを用いて、最寄りの基地局から発信される電波を受信信号として受信する受信手段である。Ｗ−ＣＤＭＡ受信モジュール７は、通信用アンテナ７ａによって受信信号を受信する際の受信チャンネルを特定し、特定した受信チャンネルで発信されてくる電波を通信用アンテナ７ａを介して取得する。
【００３４】
なお、電波を受信する際の受信チャンネルは、例えば、通信装置１０が他の通信装置との間で通信を行なう場合、最寄りの基地局からの指示に従って特定される。通信装置１０は、Ｗ−ＣＤＭＡ受信モジュール７のほかに、ＷｉＭＡＸ（Worldwide Interoperability for Microwave Access）、ＷＬＡＮ、ワンセグ放送（１セグメント放送）等の無線通信を行なうためのインタフェース（モジュール）を備える構成であってもよい。なお、通信装置１０がワンセグ放送の受信を行なう場合、通信装置１０は、ユーザからの指定に従って、電波を受信する際の受信チャンネルを特定する。
【００３５】
ノイズ信号検出部８は、第１ノイズキャプチャー用アンテナ８ａ、第２ノイズキャプチャー用アンテナ８ｂ、第３ノイズキャプチャー用アンテナ８ｃ及びスイッチ８ｄを備えている。通信装置１０は、自身を構成するＬＳＩ（Large Scale Integration）、配線パターン及びコネクタ部分等によるノイズ源（第１ノイズ源８１、第２ノイズ源８２、第３ノイズ源８３）を複数有しており、第１ノイズキャプチャー用アンテナ８ａ、第２ノイズキャプチャー用アンテナ８ｂ及び第３ノイズキャプチャー用アンテナ８ｃ（検出手段）は、それぞれのノイズ源８１，８２，８３から放射されるノイズ信号を取り込み（検出し）、スイッチ８ｄへ送出する。
【００３６】
スイッチ８ｄは、後述する位相振幅制御コントローラ１１からの指示に従って、第１ノイズキャプチャー用アンテナ８ａ、第２ノイズキャプチャー用アンテナ８ｂ及び第３ノイズキャプチャー用アンテナ８ｃのそれぞれと位相振幅調整ＩＣ９との接続を切り替える。従って、スイッチ（選択手段）８ｄは、第１ノイズキャプチャー用アンテナ８ａ、第２ノイズキャプチャー用アンテナ８ｂ及び第３ノイズキャプチャー用アンテナ８ｃのそれぞれから送出されてくるノイズ信号を選択し、いずれかのノイズ信号を位相振幅調整ＩＣ９へ送出する。
【００３７】
なお、本実施形態１では、通信装置１０が３つのノイズ源８１，８２，８３を備える構成を例に説明するが、ノイズ源は３つに限られない。また、各ノイズ源から放射されるノイズ信号を検出する構成としては、ノイズキャプチャー用アンテナを用いるほかに、例えば、電源ライン又はグランドラインが各ノイズ源から放射されるノイズ信号の影響を受けるような構成の場合には、電源ライン又はグランドラインの信号を直接的に取り込み、取り込んだ信号からノイズ成分（ノイズ信号）を抽出することもできる。
【００３８】
位相振幅調整ＩＣ９は、後述する位相振幅制御コントローラ１１からＤＡＣ（Digital Analog Converter）９ａを介してＩの値が入力されると共に、ＤＡＣ９ｂを介してＱの値が入力される。ＤＡＣ９ａ，９ｂはそれぞれ位相振幅制御コントローラ１１から取得したデジタル信号のＩ，Ｑの値をアナログ信号に変換して位相振幅調整ＩＣ９へ出力する。
【００３９】
位相振幅調整ＩＣ（除去手段）９は、スイッチ８ｄを介して入力されるノイズ信号と、ＤＡＣ９ａ，９ｂを介して入力されるＩ，Ｑの値とに基づいて、通信用アンテナ７ａが受信した受信信号からノイズ成分（ノイズ信号）を除去する。具体的には、位相振幅調整ＩＣ９は、ノイズキャプチャー用アンテナ８ａ，８ｂ，８ｃのいずれかが検出したノイズ信号をスイッチ８ｄを介して取得し、取得したノイズ信号の位相及び振幅を、ＤＡＣ９ａ，９ｂを介して入力されたＩ，Ｑの値を用いて調整する。
【００４０】
そして、位相振幅調整ＩＣ９は、位相及び振幅を調整した信号（ノイズ信号）を逆相にして、通信用アンテナ７ａが受信した受信信号に加算する。これにより、受信信号からノイズ成分が除去され、ノイズ成分が除去された受信信号がＷ−ＣＤＭＡ受信モジュール７へ送出される。
【００４１】
ここで、通信用アンテナ７ａは、基地局から発信される電波のほかに、ノイズ源８１，８２，８３から放射されるノイズ信号も受信している。従って、上述したように、通信用アンテナ７ａが受信した受信信号から位相振幅調整ＩＣ９によってノイズ成分を除去することにより、ノイズ源８１，８２，８３から放射されて通信用アンテナ７ａによって受信されたノイズ成分が、受信信号から適切に除去される。
【００４２】
以下に、切替制御テーブル４ａの登録内容について説明する。図３は実施形態１の切替制御テーブル４ａの登録内容を示す模式図である。図３に示すように、切替制御テーブル４ａには、受信チャンネル番号に対応させて、アンテナ切替番号と、受信チャンネル毎に予め設定されたノイズ除去用パラメータであるＩ，Ｑの値とが登録されている。
【００４３】
受信チャンネル番号は、受信チャンネルのそれぞれに割り当てられた番号である。アンテナ切替番号（検出手段情報）は、第１ノイズキャプチャー用アンテナ８ａ、第２ノイズキャプチャー用アンテナ８ｂ及び第３ノイズキャプチャー用アンテナ８ｃのいずれと位相振幅調整ＩＣ９とを接続させるかをスイッチ８ｄに指示するための番号であり、第１ノイズキャプチャー用アンテナ８ａ、第２ノイズキャプチャー用アンテナ８ｂ及び第３ノイズキャプチャー用アンテナ８ｃのいずれを示す。
【００４４】
具体的には、スイッチ８ｄは、位相振幅制御コントローラ１１からアンテナ切替番号「１」が入力された場合、第１ノイズキャプチャー用アンテナ８ａと位相振幅調整ＩＣ９とを接続し、第１ノイズキャプチャー用アンテナ８ａから取得したノイズ信号を位相振幅調整ＩＣ９へ送出する。
【００４５】
同様に、スイッチ８ｄは、位相振幅制御コントローラ１１からアンテナ切替番号「２」が入力された場合、第２ノイズキャプチャー用アンテナ８ｂと位相振幅調整ＩＣ９とを接続し、第２ノイズキャプチャー用アンテナ８ｂから取得したノイズ信号を位相振幅調整ＩＣ９へ送出する。また、スイッチ８ｄは、位相振幅制御コントローラ１１からアンテナ切替番号「３」が入力された場合、第３ノイズキャプチャー用アンテナ８ｃと位相振幅調整ＩＣ９とを接続し、第３ノイズキャプチャー用アンテナ８ｃから取得したノイズ信号を位相振幅調整ＩＣ９へ送出する。
【００４６】
切替制御テーブル４ａには、受信チャンネル毎に最適なアンテナ切替番号及びＩ，Ｑの値が予め登録されている。このようなアンテナ切替番号及びＩ，Ｑの値は、例えば、電波暗室内で模擬基地局を使った試験を行ない、それぞれの受信チャンネル毎に、通信用アンテナ７ａによって受信した受信信号の通信品質が最良となるように設定される。なお、切替制御テーブル４ａの登録内容を制御部１によって変更可能とすることもできる。
【００４７】
なお、通信装置１０には複数のノイズ源８１，８２，８３が存在するが、受信信号を受信する際の受信チャンネルが特定されれば、この受信チャンネルで受信する受信信号に影響を及ぼすノイズ信号（該ノイズ信号を発するノイズ源８１，８２，８３）も特定される。従って、切替制御テーブル４ａには、各受信チャンネルに対して、それぞれの受信チャンネルで受信した受信信号に影響を及ぼすノイズ信号（ノイズ源８１，８２，８３のいずれかからのノイズ信号）を位相振幅調整ＩＣ９によって最適に除去できるようなアンテナ切替番号及びＩ，Ｑの値が登録されている。
【００４８】
以下に、位相振幅制御コントローラ１１が行なう位相振幅制御処理について説明する。制御部１は、ＨＤＤ４の位相振幅制御処理プログラム４ｂをＲＡＭ３に読み出して順次実行することによって位相振幅制御コントローラ１１として動作する。Ｗ−ＣＤＭＡ受信モジュール７は、通信用アンテナ７ａによって最寄りの基地局から発信された電波（受信信号）を受信する際の受信チャンネルを特定した場合、特定した受信チャンネルの受信チャンネル番号を位相振幅制御コントローラ１１へ通知する。
【００４９】
位相振幅制御コントローラ１１は、Ｗ−ＣＤＭＡ受信モジュール７から通知される受信チャンネル番号を自身のメモリ（例えばＲＡＭ３）に順次上書きして記憶しており、Ｗ−ＣＤＭＡ受信モジュール７から通知された受信チャンネル番号が、前回通知された受信チャンネル番号、即ち、メモリに既に記憶されている受信チャンネル番号に一致するか否かに基づいて、電波を受信する際の受信チャンネルが変更されたか否かを判断する。受信チャンネルが変更されていないと判断した場合、位相振幅制御コントローラ１１は何も行わない。
【００５０】
受信チャンネルが変更されたと判断した場合、位相振幅制御コントローラ（読出手段）１１は、変更された受信チャンネルの受信チャンネル番号に対応するアンテナ切替番号及びＩ，Ｑの値を切替制御テーブル４ａから読み出す。そして、位相振幅制御コントローラ１１は、切替制御テーブル４ａから読み出したアンテナ切替番号をスイッチ８ｄへ送出し、Ｉの値をＤＡＣ９ａへ送出し、Ｑの値をＤＡＣ９ｂへ送出する。
【００５１】
これにより、スイッチ８ｄは、位相振幅制御コントローラ１１から取得したアンテナ切替番号に従って、第１ノイズキャプチャー用アンテナ８ａ、第２ノイズキャプチャー用アンテナ８ｂ及び第３ノイズキャプチャー用アンテナ８ｃのいずれかを選択し、選択したノイズキャプチャー用アンテナ８ａ（又は８ｂ，８ｃ）から取得したノイズ信号を位相振幅調整ＩＣ９へ送出する。位相振幅調整ＩＣ９は、スイッチ８ｄから取得したノイズ信号の位相及び振幅を、ＤＡＣ９ａ，９ｂを介して取得したＩの値及びＱの値を用いて調整し、得られた信号を逆相にし、通信用アンテナ７ａが受信した受信信号に加算する。
【００５２】
上述した処理により、位相振幅制御コントローラ１１は、それぞれの受信チャンネルで受信信号を受信する際に、受信信号からノイズ信号を適切に除去するためのアンテナ切替番号及びＩ，Ｑの値を切替制御テーブル４ａから容易に特定することができる。また、位相振幅調整ＩＣ９は、このように特定されたアンテナ切替番号に従ってスイッチ８ｄから送出されてくるノイズ信号と、このように特定されたＩ，Ｑの値とに基づいて、それぞれの受信チャンネルに応じた最適なノイズ除去処理を行なうことができるので、受信信号からノイズ信号を適切に除去することができる。
【００５３】
また、Ｗ−ＣＤＭＡ受信モジュール７は、通信用アンテナ７ａを介して受信した受信信号に基づいて、受信信号の通信品質を示す通信品質情報（例えば、ＢＥＲ：Bit Error Rate）を検出しており、通信品質情報を検出した場合、検出した通信品質情報を位相振幅制御コントローラ１１へ通知する。位相振幅制御コントローラ１１は、上述したように、切替制御テーブル４ａから読み出したアンテナ切替番号及びＩ，Ｑの値をそれぞれスイッチ８ｄ及びＤＡＣ９ａ，９ｂへ送出することによって受信信号に対してノイズ除去を行なった場合、Ｗ−ＣＤＭＡ受信モジュール７から通知される通信品質情報に基づいて、ＤＡＣ９ａ，９ｂへ送出するＩ，Ｑの値を微調整する調整処理を行なう。
【００５４】
Ｉ，Ｑの値の調整処理は、切替制御テーブル４ａから読み出したＩ，Ｑの値を基準とし、Ｉ，Ｑの値にそれぞれ所定値（例えば５）を加算した値及び所定値（例えば５）を減算した値をそれぞれＤＡＣ９ａ，９ｂへ送出することによって受信信号からノイズ信号を除去した場合のそれぞれの受信信号の通信品質情報を比較し、最良の通信品質情報が得られるＩ，Ｑの値を特定する処理である。
【００５５】
上述した処理により、本実施形態１の通信装置１０は、通信用アンテナ７ａを介して受信信号を受信する場合に、受信チャンネルに応じたノイズキャプチャー用アンテナ８ａ（又は８ｂ，８ｃ）によって検出されたノイズ信号に基づく信号を受信信号に加算することができるので、受信信号からノイズ信号を最適に除去することができる。また、位相振幅制御コントローラ１１による切替制御テーブル４ａの参照処理のみによって、受信信号から除去すべきノイズ信号を検出するノイズキャプチャー用アンテナ８ａ（又は８ｂ，８ｃ）、ノイズ信号を調整する際のＩ，Ｑの値を容易に特定することができる。
【００５６】
以下に、上述した構成の通信装置１０において、位相振幅制御コントローラ１１が行なう位相振幅制御処理についてフローチャートに基づいて説明する。図４は実施形態１の位相振幅制御処理の手順を示すフローチャートである。なお、以下の処理は、通信装置１０のＨＤＤ４に格納されている位相振幅制御処理プログラム４ｂに従って制御部１によって実行される。
【００５７】
通信装置１０の制御部１（位相振幅制御コントローラ１１）は、Ｗ−ＣＤＭＡ受信モジュール７から受信チャンネル番号を取得したか否かを判断しており（Ｓ１）、取得していないと判断した場合（Ｓ１：ＮＯ）、他の処理を行ないつつ待機する。制御部１は、受信チャンネル番号を取得したと判断した場合（Ｓ１：ＹＥＳ）、受信信号を受信する際の受信チャンネルが変更されたか否かを判断し（Ｓ２）、受信チャンネルが変更されていないと判断した場合（Ｓ２：ＮＯ）、ステップＳ１へ処理を戻し、他の処理を行ないつつ待機する。
【００５８】
受信チャンネルが変更されたと判断した場合（Ｓ２：ＹＥＳ）、制御部１は、変更された受信チャンネルに対応するアンテナ切替番号及びＩ，Ｑの値を切替制御テーブル４ａから読み出す（Ｓ３）。制御部１は、切替制御テーブル４ａから読み出したアンテナ切替番号をスイッチ８ｄへ出力し（Ｓ４）、切替制御テーブル４ａから読み出したＩ，Ｑの値をそれぞれＤＡＣ９ａ，９ｂへ出力する（Ｓ５）。
【００５９】
また、制御部１は、Ｗ−ＣＤＭＡ受信モジュール７から通知される通信品質情報に基づいて、ＤＡＣ９ａ，９ｂへ送出するＩ，Ｑの値を微調整する調整処理を実行し（Ｓ６）、ステップＳ１へ処理を戻し、受信チャンネルが変更される都度、ステップＳ３〜Ｓ６の処理を繰り返す。
【００６０】
以下に、上述した位相振幅制御処理におけるＩ，Ｑの値の調整処理（図４中のステップＳ６）についてフローチャートに基づいて説明する。図５及び図６はＩ，Ｑの値の調整処理の手順を示すフローチャートである。なお、以下の処理は、通信装置１０のＨＤＤ４に格納されている位相振幅制御処理プログラム４ｂに従って制御部１によって実行される。
【００６１】
通信装置１０の制御部１（位相振幅制御コントローラ１１）は、Ｗ−ＣＤＭＡ受信モジュール７から通信品質情報（以下、ＢＥＲとする）を取得したか否かを判断しており（Ｓ１１）、取得していないと判断した場合（Ｓ１１：ＮＯ）、他の処理を行ないつつ待機する。制御部１は、ＢＥＲを取得したと判断した場合（Ｓ１１：ＹＥＳ）、この時点でのＩ，Ｑの値、ここでは図４中のステップＳ５でＤＡＣ９ａ，９ｂへ出力したＩ，Ｑの値（以下、基準のＩ，Ｑの値という）に対応させてＢＥＲをＲＡＭ３に記憶させる（Ｓ１２）。
【００６２】
制御部１は、Ｉの値のみに所定値を加算し、Ｉ，Ｑの値をそれぞれＤＡＣ９ａ，９ｂへ出力する（Ｓ１３）。制御部１は、Ｗ−ＣＤＭＡ受信モジュール７からＢＥＲを取得したか否かを判断し（Ｓ１４）、取得していないと判断した場合（Ｓ１４：ＮＯ）、取得するまで待機する。制御部１は、ＢＥＲを取得したと判断した場合（Ｓ１４：ＹＥＳ）、この時点でのＩ，Ｑの値、ここでは基準のＩの値に所定値を加算したＩの値及び基準のＱの値に対応させてＢＥＲをＲＡＭ３に記憶させる（Ｓ１５）。
【００６３】
制御部１は、Ｑの値に所定値を加算し、Ｉ，Ｑの値をそれぞれＤＡＣ９ａ，９ｂへ出力する（Ｓ１６）。制御部１は、Ｗ−ＣＤＭＡ受信モジュール７からＢＥＲを取得したか否かを判断し（Ｓ１７）、取得していないと判断した場合（Ｓ１７：ＮＯ）、取得するまで待機する。制御部１は、ＢＥＲを取得したと判断した場合（Ｓ１７：ＹＥＳ）、この時点でのＩ，Ｑの値、ここでは基準のＩの値に所定値を加算したＩの値及び基準のＱの値に所定値を加算したＱの値に対応させてＢＥＲをＲＡＭ３に記憶させる（Ｓ１８）。
【００６４】
制御部１は、Ｑの値から所定値の２倍の値を減算し、Ｉ，Ｑの値をそれぞれＤＡＣ９ａ，９ｂへ出力する（Ｓ１９）。制御部１は、Ｗ−ＣＤＭＡ受信モジュール７からＢＥＲを取得したか否かを判断し（Ｓ２０）、取得していないと判断した場合（Ｓ２０：ＮＯ）、取得するまで待機する。制御部１は、ＢＥＲを取得したと判断した場合（Ｓ２０：ＹＥＳ）、この時点でのＩ，Ｑの値、ここでは基準のＩの値に所定値を加算したＩの値及び基準のＱの値から所定値を減算したＱの値に対応させてＢＥＲをＲＡＭ３に記憶させる（Ｓ２１）。
【００６５】
制御部１は、Ｉの値から所定値を減算し、Ｉ，Ｑの値をそれぞれＤＡＣ９ａ，９ｂへ出力する（Ｓ２２）。制御部１は、Ｗ−ＣＤＭＡ受信モジュール７からＢＥＲを取得したか否かを判断し（Ｓ２３）、取得していないと判断した場合（Ｓ２３：ＮＯ）、取得するまで待機する。制御部１は、ＢＥＲを取得したと判断した場合（Ｓ２３：ＹＥＳ）、この時点でのＩ，Ｑの値、ここでは基準のＩの値及び基準のＱの値から所定値を減算したＱの値に対応させてＢＥＲをＲＡＭ３に記憶させる（Ｓ２４）。
【００６６】
制御部１は、Ｉの値から所定値を減算し、Ｉ，Ｑの値をそれぞれＤＡＣ９ａ，９ｂへ出力する（Ｓ２５）。制御部１は、Ｗ−ＣＤＭＡ受信モジュール７からＢＥＲを取得したか否かを判断し（Ｓ２６）、取得していないと判断した場合（Ｓ２６：ＮＯ）、取得するまで待機する。制御部１は、ＢＥＲを取得したと判断した場合（Ｓ２６：ＹＥＳ）、この時点でのＩ，Ｑの値、ここでは基準のＩの値から所定値を減算したＩの値及び基準のＱの値から所定値を減算したＱの値に対応させてＢＥＲをＲＡＭ３に記憶させる（Ｓ２７）。
【００６７】
制御部１は、Ｑの値に所定値を加算し、Ｉ，Ｑの値をそれぞれＤＡＣ９ａ，９ｂへ出力する（Ｓ２８）。制御部１は、Ｗ−ＣＤＭＡ受信モジュール７からＢＥＲを取得したか否かを判断し（Ｓ２９）、取得していないと判断した場合（Ｓ２９：ＮＯ）、取得するまで待機する。制御部１は、ＢＥＲを取得したと判断した場合（Ｓ２９：ＹＥＳ）、この時点でのＩ，Ｑの値、ここでは基準のＩの値から所定値を減算したＩの値及び基準のＱの値に対応させてＢＥＲをＲＡＭ３に記憶させる（Ｓ３０）。
【００６８】
制御部１は、Ｑの値に所定値を加算し、Ｉ，Ｑの値をそれぞれＤＡＣ９ａ，９ｂへ出力する（Ｓ３１）。制御部１は、Ｗ−ＣＤＭＡ受信モジュール７からＢＥＲを取得したか否かを判断し（Ｓ３２）、取得していないと判断した場合（Ｓ３２：ＮＯ）、取得するまで待機する。制御部１は、ＢＥＲを取得したと判断した場合（Ｓ３２：ＹＥＳ）、この時点でのＩ，Ｑの値、ここでは基準のＩの値から所定値を減算したＩの値及び基準のＱの値に所定値を加算したＱの値に対応させてＢＥＲをＲＡＭ３に記憶させる（Ｓ３３）。
【００６９】
制御部１は、Ｉの値に所定値を加算し、Ｉ，Ｑの値をそれぞれＤＡＣ９ａ，９ｂへ出力する（Ｓ３４）。制御部１は、Ｗ−ＣＤＭＡ受信モジュール７からＢＥＲを取得したか否かを判断し（Ｓ３５）、取得していないと判断した場合（Ｓ３５：ＮＯ）、取得するまで待機する。制御部１は、ＢＥＲを取得したと判断した場合（Ｓ３５：ＹＥＳ）、この時点でのＩ，Ｑの値、ここでは基準のＩの値及び基準のＱの値に所定値を加算したＱの値に対応させてＢＥＲをＲＡＭ３に記憶させる（Ｓ３６）。
【００７０】
制御部１は、ステップＳ１２，Ｓ１５，Ｓ１８，Ｓ２１，Ｓ２４，Ｓ２７，Ｓ３０，Ｓ３３，Ｓ３６でＲＡＭ３に記憶させたＢＥＲを比較し、最良のＢＥＲが得られたＩ，Ｑの値を特定する（Ｓ３７）。そして、制御部１は、特定したＩ，Ｑの値をそれぞれＤＡＣ９ａ，９ｂへ出力し（Ｓ３８）、上述したＩ，Ｑの値の調整処理を終了し、図４に示した位相振幅制御処理へ処理を戻す。
【００７１】
上述したように、本実施形態１の通信装置１０では、受信信号を受信する際の受信チャンネルに応じて、位相振幅調整ＩＣ９へ入力されるノイズ信号（ノイズキャプチャー用アンテナ８ａ，８ｂ，８ｃによって検出されるノイズ信号）を切り替えると共に、位相振幅調整ＩＣ９へ入力されるＩ，Ｑの値を切り替える。従って、通信装置１０は、受信チャンネルに応じて、それぞれの受信チャンネルで受信される受信信号に含まれるノイズ信号を最適に除去することができるので、受信信号の通信品質を向上させることができ、通信品質の良い受信信号を取得することができる。
【００７２】
上述した実施形態１では、位相振幅制御コントローラ１１が、Ｗ−ＣＤＭＡ受信モジュール７から通知される受信チャンネルが変更されたと判断した場合に、スイッチ８ｄへ送出するアンテナ切替番号とＤＡＣ９ａ，９ｂへ送出するＩ，Ｑの値とを切り替える構成を例に説明した。このような構成のほかに、例えば、Ｗ−ＣＤＭＡ受信モジュール７から通知される受信チャンネルを定期的に監視し、それぞれの監視時点での受信チャンネルに応じてアンテナ切替番号及びＩ，Ｑの値を切り替える構成としてもよい。
【００７３】
（実施形態２）
以下に、本発明に係る通信装置について、実施形態２を示す図面に基づいて詳述する。図７は実施形態２の通信装置の機能を示す機能ブロック図である。なお、本実施形態２の通信装置は、上述した実施形態１の通信装置１０と同様の構成を有しており、同様の構成については同一の符号を付して説明を省略する。
【００７４】
上述した実施形態１の通信装置１０は、受信信号を受信する際の受信チャンネルに応じて、スイッチ８ｄによる切替及び位相振幅調整ＩＣ９に入力されるＩ，Ｑの値を制御する構成であった。本実施形態２の通信装置１０は、受信信号を受信する際の受信チャンネルだけでなく、実行中のアプリケーションの種類に応じて、スイッチ８ｄによる切替及び位相振幅調整ＩＣ９に入力されるＩ，Ｑの値を制御する構成である。
【００７５】
具体的には、本実施形態２の通信装置１０は、ＨＤＤ４に起動アプリケーション判定処理プログラム（図示せず）を格納しており、制御部１は、起動アプリケーション判定処理プログラムをＲＡＭ３に読み出して実行することにより、図７中の起動アプリケーション判定部１２としての動作を実現する。
【００７６】
ＨＤＤ４は各種のアプリケーションプログラムを格納しており、操作部５を介したユーザからの指示に従って、制御部１（実行手段）が、ＨＤＤ４に格納されているアプリケーションプログラムをＲＡＭ３に読み出して実行することにより、それぞれのアプリケーションの機能を実現する。起動アプリケーション判定部（判定手段）１２は、このように制御部１によって実行されているアプリケーション（起動アプリケーション）を判定し、判定したアプリケーションを位相振幅制御コントローラ１１へ通知する。なお、アプリケーションプログラムとしては、例えば、動画を再生するための動画再生プログラム、ＵＳＢ（Universal Serial Bus）を介して接続された外部機器との間で情報の送受信を行なうためのＵＳＢデバイス処理用プログラム等がある。
【００７７】
なお、通信装置１０においては、同一の受信チャンネルで受信信号を受信する場合であっても、その時点で起動中のアプリケーションによって受信信号に影響を与えるノイズ源８１，８２，８３が異なってくる場合がある。従って、本実施形態２では、受信信号を受信する際の受信チャンネルだけでなく、実行中のアプリケーションの種類に応じて、スイッチ８ｄによる切替及び位相振幅調整ＩＣ９に入力されるＩ，Ｑの値を適切に制御することにより、精度のよいノイズ除去処理が可能となる。
【００７８】
また、本実施形態２では、通信装置１０のＨＤＤ４に格納されている切替制御テーブル４ａは、図８に示すような切替制御テーブル４ａである。図８は実施形態２の切替制御テーブル４ａの登録内容を示す模式図である。図８に示すように、本実施形態２の切替制御テーブル４ａには、それぞれの受信チャンネル番号とそれぞれのアプリケーションプログラム（起動アプリケーション）を示す情報とに対応させて、アンテナ切替番号と、受信チャンネル毎に予め設定されたノイズ除去用パラメータであるＩ，Ｑの値とが登録されている。
【００７９】
なお、起動アプリケーションの欄には、動画再生プログラム（図８では動画再生と省略）、ＵＳＢデバイス処理用プログラム（図８ではＵＳＢデバイスと省略）又はその他のプログラム（図８ではその他と省略）のいずれかが登録される。従って、本実施形態２の切替制御テーブル４ａには、それぞれの受信チャンネルとそれぞれのアプリケーションプログラムに対して、それぞれの受信チャンネルで受信信号を受信する際に実行中（起動中）のアプリケーションプログラムの種類によって、受信信号に影響を及ぼすノイズ信号（ノイズ源８１，８２，８３からのノイズ信号）を最適に除去できるようなアンテナ切替番号及びＩ，Ｑの値が登録されている。
【００８０】
以下に、本実施形態２の位相振幅制御コントローラ１１が行なう位相振幅制御処理について説明する。位相振幅制御コントローラ１１は、実施形態１で説明した通り、Ｗ−ＣＤＭＡ受信モジュール７から通知された受信チャンネル番号に基づいて、電波を受信する際の受信チャンネルが変更されたか否かを判断する。また、位相振幅制御コントローラ１１は、起動アプリケーション判定部１２から通知される起動アプリケーションの情報を自身のメモリに順次上書きして記憶しており、起動アプリケーション判定部１２から通知された起動アプリケーションが、前回通知された起動アプリケーション、即ち、メモリに既に記憶されている起動アプリケーションに一致するか否かに基づいて、起動アプリケーションが変更されたか否かを判断する。
【００８１】
受信チャンネルが変更されていないと判断した場合、又は起動アプリケーションが変更されていないと判断した場合、位相振幅制御コントローラ１１は何も行わない。受信チャンネルが変更されたと判断した場合、位相振幅制御コントローラ１１は、変更された受信チャンネルの受信チャンネル番号及びこの時点での起動アプリケーションの情報に対応するアンテナ切替番号及びＩ，Ｑの値を切替制御テーブル４ａから読み出す。また、起動アプリケーションが変更されたと判断した場合、位相振幅制御コントローラ１１は、この時点での受信チャンネル番号及び変更された起動アプリケーションの情報に対応するアンテナ切替番号及びＩ，Ｑの値を切替制御テーブル４ａから読み出す。
【００８２】
そして、位相振幅制御コントローラ１１は、切替制御テーブル４ａから読み出したアンテナ切替番号をスイッチ８ｄへ送出し、Ｉの値をＤＡＣ９ａへ送出し、Ｑの値をＤＡＣ９ｂへ送出する。これにより、スイッチ８ｄは、位相振幅制御コントローラ１１から取得したアンテナ切替番号に従って、第１ノイズキャプチャー用アンテナ８ａ、第２ノイズキャプチャー用アンテナ８ｂ及び第３ノイズキャプチャー用アンテナ８ｃのいずれかを選択し、選択したノイズキャプチャー用アンテナ８ａ（又は８ｂ，８ｃ）から取得したノイズ信号を位相振幅調整ＩＣ９へ送出する。
【００８３】
これにより、位相振幅制御コントローラ１１は、それぞれの受信チャンネルで受信信号を受信する際に、その時点で起動中のアプリケーションに応じて、受信信号からノイズ信号を適切に除去するためのアンテナ切替番号及びＩ，Ｑの値を切替制御テーブル４ａから特定することができる。また、位相振幅調整ＩＣ９が、このようなアンテナ切替番号に従ってスイッチ８ｄから入力されたノイズ信号の位相及び振幅を、ＤＡＣ９ａ，９ｂを介して入力されたＩの値及びＱの値を用いて調整し、得られた信号を逆相にし、通信用アンテナ７ａが受信した受信信号に加算することにより、受信信号からノイズ信号を適切に除去することができる。従って、Ｗ−ＣＤＭＡ受信モジュール７は、適切にノイズ信号を除去された受信信号を取得することができる。
【００８４】
なお、位相振幅制御コントローラ１１が、Ｗ−ＣＤＭＡ受信モジュール７から通知される通信品質情報に基づいて、ＤＡＣ９ａ，９ｂへ送出するＩ，Ｑの値を微調整する調整処理については、実施形態１で説明した処理と同様である、
【００８５】
上述した処理により、本実施形態２の通信装置１０は、通信用アンテナ７ａを介して受信信号を受信する場合に、受信チャンネル及びこの時点で起動中のアプリケーションに応じたノイズキャプチャー用アンテナ８ａ（又は８ｂ，８ｃ）によって検出されたノイズ信号に基づく信号を受信信号に加算することができるので、受信信号からノイズ信号を最適に除去することができる。また、位相振幅制御コントローラ１１による切替制御テーブル４ａの参照処理のみによって、受信信号から除去すべきノイズ信号を検出するノイズキャプチャー用アンテナ８ａ（又は８ｂ，８ｃ）、Ｉ，Ｑの値を容易に特定することができる。
【００８６】
以下に、上述した構成の通信装置１０において、位相振幅制御コントローラ１１が行なう位相振幅制御処理についてフローチャートに基づいて説明する。図９は実施形態２の位相振幅制御処理の手順を示すフローチャートである。なお、以下の処理は、通信装置１０のＨＤＤ４に格納されている位相振幅制御処理プログラム４ｂに従って制御部１によって実行される。
【００８７】
通信装置１０の制御部１（位相振幅制御コントローラ１１）は、Ｗ−ＣＤＭＡ受信モジュール７から受信チャンネル番号を取得したか否かを判断しており（Ｓ４１）、取得したと判断した場合（Ｓ４１：ＹＥＳ）、受信信号を受信する際の受信チャンネルが変更されたか否かを判断する（Ｓ４２）。受信チャンネルが変更されたと判断した場合（Ｓ４２：ＹＥＳ）、制御部１はステップＳ４５へ処理を移行する。
【００８８】
受信チャンネル番号を取得していないと判断した場合（Ｓ４１：ＮＯ）、又は受信チャンネルが変更されていないと判断した場合（Ｓ４２：ＮＯ）、制御部１は、起動アプリケーション判定部１２から起動アプリケーションの情報を取得したか否かを判断する（Ｓ４３）。起動アプリケーションの情報を取得したと判断した場合（Ｓ４３：ＹＥＳ）、制御部１は、起動中のアプリケーションが変更されたか否かを判断し（Ｓ４４）、起動中のアプリケーションが変更されたと判断した場合（Ｓ４４：ＹＥＳ）、ステップＳ４５へ処理を移行する。
【００８９】
起動アプリケーションの情報を取得していないと判断した場合（Ｓ４３：ＮＯ）、又は起動中のアプリケーションが変更されていないと判断した場合（Ｓ４４：ＮＯ）、制御部１は、ステップＳ４１へ処理を戻し、受信チャンネルが変更されるか、又は起動中のアプリケーションが変更されるまで他の処理を行ないつつ待機する。
【００９０】
受信チャンネルが変更されたと判断した場合（Ｓ４２：ＹＥＳ）、又は起動中のアプリケーションが変更されたと判断した場合（Ｓ４４：ＹＥＳ）、制御部１は、この時点での受信チャンネル及び起動アプリケーションに対応するアンテナ切替番号及びＩ，Ｑの値を切替制御テーブル４ａから読み出す（Ｓ４５）。制御部１は、切替制御テーブル４ａから読み出したアンテナ切替番号をスイッチ８ｄへ出力し（Ｓ４６）、切替制御テーブル４ａから読み出したＩ，Ｑの値をそれぞれＤＡＣ９ａ，９ｂへ出力する（Ｓ４７）。
【００９１】
また、制御部１は、Ｗ−ＣＤＭＡ受信モジュール７から通知される通信品質情報に基づいて、ＤＡＣ９ａ，９ｂへ送出するＩ，Ｑの値を微調整する調整処理を実行し（Ｓ４８）、ステップＳ４１へ処理を戻し、受信チャンネル又は起動アプリケーションが変更される都度、ステップＳ４５〜Ｓ４８の処理を繰り返す。なお、ステップＳ４８のＩ，Ｑの値の調整処理は、図５及び図６で説明した処理である。
【００９２】
上述したように、本実施形態２の通信装置１０では、受信信号を受信する際の受信チャンネル及び起動中のアプリケーションに応じて、位相振幅調整ＩＣ９へ入力されるノイズ信号（ノイズキャプチャー用アンテナ８ａ，８ｂ，８ｃによって検出されるノイズ信号）を切り替えると共に、位相振幅調整ＩＣ９へ入力されるＩ，Ｑの値を切り替える。従って、通信装置１０は、受信チャンネル及び起動アプリケーションに応じて、それぞれの受信チャンネルで受信される受信信号に含まれるノイズ信号を最適に除去することができるので、受信信号の通信品質を向上させることができ、通信品質の良い受信信号を取得することができる。
【００９３】
上述した実施形態２では、位相振幅制御コントローラ１１が、Ｗ−ＣＤＭＡ受信モジュール７から通知される受信チャンネルが変更されたと判断した場合、又は起動アプリケーション判定部１２から通知される起動中のアプリケーションが変更されたと判断した場合に、スイッチ８ｄへ送出するアンテナ切替番号とＤＡＣ９ａ，９ｂへ送出するＩ，Ｑの値とを切り替える構成を例に説明した。このような構成のほかに、例えば、Ｗ−ＣＤＭＡ受信モジュール７から通知される受信チャンネル、又は起動アプリケーション判定部１２から通知される起動中のアプリケーションを定期的に監視し、それぞれの監視時点での受信チャンネル及び起動アプリケーションに応じてアンテナ切替番号及びＩ，Ｑの値を切り替える構成としてもよい。
【００９４】
（実施形態３）
以下に、本発明に係る通信装置について、実施形態３を示す図面に基づいて詳述する。図１０は実施形態３の通信装置の機能を示す機能ブロック図である。なお、本実施形態３の通信装置は、上述した実施形態１の通信装置１０と同様の構成を有しており、同様の構成については同一の符号を付して説明を省略する。
【００９５】
上述した実施形態２の通信装置１０は、受信信号を受信する際の受信チャンネル及び実行中のアプリケーションの種類に応じて、スイッチ８ｄによる切替及び位相振幅調整ＩＣ９に入力されるＩ，Ｑの値を制御する構成であった。本実施形態３の通信装置１０は、実行中のアプリケーションの種類の代わりに通信装置１０の利用形態を用い、受信チャンネル及び利用形態に応じて、スイッチ８ｄによる切替及び位相振幅調整ＩＣ９に入力されるＩ，Ｑの値を制御する構成である。
【００９６】
具体的には、本実施形態３の通信装置１０は、ＨＤＤ４に利用形態判定処理プログラム（図示せず）を格納しており、制御部１は、利用形態判定処理プログラムをＲＡＭ３に読み出して実行することにより、図１０中の利用形態判定部１３としての動作を実現する。利用形態判定部１３は、通信装置１０の利用形態を判定し、判定した利用形態を位相振幅制御コントローラ１１へ通知する。
【００９７】
なお、ここでの利用形態（使用形態）とは、ノートパソコンである通信装置１０が、タブレット型ＰＣ（Personal Computer）としても利用可能に構成されている場合において、ノート型の利用形態とタブレット型の利用形態とを意味する。より具体的には、ノート型の利用形態とは、キーボード等の操作部５に対してＬＣＤ等の表示部６が開放された状態（ＬＣＤ開状態）であり、タブレット型の利用形態とは、操作部５に対して表示部６が閉じられた状態（ＬＣＤ閉状態）である。
【００９８】
従って、利用形態判定部（判定手段）１３は、ノート型の利用形態で利用されているか、タブレット型の利用形態で利用されているかを判定し、判定した利用形態を位相振幅制御コントローラ１１へ通知する。なお、ノートパソコンにおいては、操作部５に対して表示部６を開放させた場合に、操作部５から離れた表示部６の適宜位置に通信用アンテナ７ａが設けられているものがある。このような通信装置１０では、表示部６が開状態である場合と閉状態である場合とにおいて、受信信号に影響を与えるノイズ源８１，８２，８３が異なってくる。
【００９９】
従って、本実施形態３では、受信信号を受信する際の受信チャンネルだけでなく、表示部６が開状態である場合と閉状態である場合とにおいて、スイッチ８ｄによる切替及び位相振幅調整ＩＣ９に入力されるＩ，Ｑの値を適切に制御することにより、精度のよいノイズ除去処理が可能となる。なお、本発明の通信装置１０が携帯電話機に適用された場合も同様に、操作部５（操作キー）に対して表示部６（表示画面）が開放された状態であるのか又は閉じられた状態であるのかを利用形態とし、受信チャンネル及び利用形態に応じて、スイッチ８ｄによる切替及び位相振幅調整ＩＣ９に入力されるＩ，Ｑの値を制御する構成とすることができる。
【０１００】
また、本実施形態３では、通信装置１０のＨＤＤ４に格納されている切替制御テーブル４ａは、図１１に示すような切替制御テーブル４ａである。図１１は実施形態３の切替制御テーブル４ａの登録内容を示す模式図である。図１１に示すように、本実施形態３の切替制御テーブル４ａには、それぞれの受信チャンネル番号とそれぞれの利用形態を示す情報とに対応させて、アンテナ切替番号と、受信チャンネル毎に予め設定されたノイズ除去用パラメータであるＩ，Ｑの値とが登録されている。
【０１０１】
なお、利用形態の欄には、ＬＣＤ開状態又はＬＣＤ閉状態が登録される。従って、本実施形態３の切替制御テーブル４ａには、それぞれの受信チャンネルとそれぞれの利用形態に対して、それぞれの受信チャンネルで受信信号を受信する際にその時点での利用形態によって、受信信号に影響を及ぼすノイズ信号（ノイズ源８１，８２，８３からのノイズ信号）を最適に除去できるようなアンテナ切替番号及びＩ，Ｑの値が登録されている。
【０１０２】
以下に、本実施形態３の位相振幅制御コントローラ１１が行なう位相振幅制御処理について説明する。位相振幅制御コントローラ１１は、実施形態１で説明した通り、Ｗ−ＣＤＭＡ受信モジュール７から通知された受信チャンネル番号に基づいて、電波を受信する際の受信チャンネルが変更されたか否かを判断する。また、本実施形態３の位相振幅制御コントローラ１１は、利用形態判定部１３から通知される利用形態の情報を自身のメモリに順次上書きして記憶しており、利用形態判定部１３から通知された利用形態が、前回通知された利用形態、即ち、メモリに既に記憶されている利用形態に一致するか否かに基づいて、利用形態が変更されたか否かを判断する。
【０１０３】
受信チャンネルが変更されていないと判断した場合、又は利用形態が変更されていないと判断した場合、位相振幅制御コントローラ１１は何も行わない。受信チャンネルが変更されたと判断した場合、位相振幅制御コントローラ１１は、変更された受信チャンネルの受信チャンネル番号及びこの時点での利用形態に対応するアンテナ切替番号及びＩ，Ｑの値を切替制御テーブル４ａから読み出す。また、利用形態が変更されたと判断した場合、位相振幅制御コントローラ１１は、この時点での受信チャンネル番号及び変更された利用形態に対応するアンテナ切替番号及びＩ，Ｑの値を切替制御テーブル４ａから読み出す。
【０１０４】
そして、位相振幅制御コントローラ１１は、切替制御テーブル４ａから読み出したアンテナ切替番号をスイッチ８ｄへ送出し、Ｉの値をＤＡＣ９ａへ送出し、Ｑの値をＤＡＣ９ｂへ送出する。これにより、スイッチ８ｄは、位相振幅制御コントローラ１１から取得したアンテナ切替番号に従って、第１ノイズキャプチャー用アンテナ８ａ、第２ノイズキャプチャー用アンテナ８ｂ及び第３ノイズキャプチャー用アンテナ８ｃのいずれかを選択し、選択したノイズキャプチャー用アンテナ８ａ（又は８ｂ，８ｃ）から取得したノイズ信号を位相振幅調整ＩＣ９へ送出する。
【０１０５】
これにより、位相振幅制御コントローラ１１は、それぞれの受信チャンネルで受信信号を受信する際に、その時点での利用形態（ＬＣＤ開状態又はＬＣＤ閉状態）に応じて、受信信号からノイズ信号を適切に除去するためのアンテナ切替番号及びＩ，Ｑの値を切替制御テーブル４ａから特定することができる。また、位相振幅調整ＩＣ９が、このようなアンテナ切替番号に従ってスイッチ８ｄから入力されたノイズ信号の位相及び振幅を、ＤＡＣ９ａ，９ｂを介して入力されたＩの値及びＱの値を用いて調整し、得られた信号を逆相にし、通信用アンテナ７ａが受信した受信信号に加算することにより、受信信号からノイズ信号を適切に除去することができる。従って、Ｗ−ＣＤＭＡ受信モジュール７は、適切にノイズ信号を除去された受信信号を取得することができる。
【０１０６】
なお、位相振幅制御コントローラ１１が、Ｗ−ＣＤＭＡ受信モジュール７から通知される通信品質情報に基づいて、ＤＡＣ９ａ，９ｂへ送出するＩ，Ｑの値を微調整する調整処理については、実施形態１で説明した処理と同様である。
【０１０７】
上述した処理により、本実施形態３の通信装置１０は、通信用アンテナ７ａを介して受信信号を受信する場合に、受信チャンネル及びこの時点での通信装置１０の利用形態に応じたノイズキャプチャー用アンテナ８ａ（又は８ｂ，８ｃ）によって検出されたノイズ信号に基づく信号を受信信号に加算することができるので、受信信号からノイズ信号を最適に除去することができる。また、位相振幅制御コントローラ１１による切替制御テーブル４ａの参照処理のみによって、受信信号から除去すべきノイズ信号を検出するノイズキャプチャー用アンテナ８ａ（又は８ｂ，８ｃ）、Ｉ，Ｑの値を容易に特定することができる。
【０１０８】
以下に、上述した構成の通信装置１０において、位相振幅制御コントローラ１１が行なう位相振幅制御処理についてフローチャートに基づいて説明する。図１２は実施形態３の位相振幅制御処理の手順を示すフローチャートである。なお、以下の処理は、通信装置１０のＨＤＤ４に格納されている位相振幅制御処理プログラム４ｂに従って制御部１によって実行される。
【０１０９】
通信装置１０の制御部１（位相振幅制御コントローラ１１）は、Ｗ−ＣＤＭＡ受信モジュール７から受信チャンネル番号を取得したか否かを判断しており（Ｓ５１）、取得したと判断した場合（Ｓ５１：ＹＥＳ）、受信信号を受信する際の受信チャンネルが変更されたか否かを判断する（Ｓ５２）。受信チャンネルが変更されたと判断した場合（Ｓ５２：ＹＥＳ）、制御部１はステップＳ５５へ処理を移行する。
【０１１０】
受信チャンネル番号を取得していないと判断した場合（Ｓ５１：ＮＯ）、又は受信チャンネルが変更されていないと判断した場合（Ｓ５２：ＮＯ）、制御部１は、利用形態判定部１３から利用形態の情報を取得したか否かを判断する（Ｓ５３）。利用形態の情報を取得したと判断した場合（Ｓ５３：ＹＥＳ）、制御部１は、利用形態が変更されたか否かを判断し（Ｓ５４）、利用形態が変更されたと判断した場合（Ｓ５４：ＹＥＳ）、ステップＳ５５へ処理を移行する。
【０１１１】
利用形態の情報を取得していないと判断した場合（Ｓ５３：ＮＯ）、又は利用形態が変更されていないと判断した場合（Ｓ５４：ＮＯ）、制御部１は、ステップＳ５１へ処理を戻し、受信チャンネルが変更されるか、又は利用形態が変更されるまで他の処理を行ないつつ待機する。
【０１１２】
受信チャンネルが変更されたと判断した場合（Ｓ５２：ＹＥＳ）、又は利用形態が変更されたと判断した場合（Ｓ５４：ＹＥＳ）、制御部１は、この時点での受信チャンネル及び利用形態に対応するアンテナ切替番号及びＩ，Ｑの値を切替制御テーブル４ａから読み出す（Ｓ５５）。制御部１は、切替制御テーブル４ａから読み出したアンテナ切替番号をスイッチ８ｄへ出力し（Ｓ５６）、切替制御テーブル４ａから読み出したＩ，Ｑの値をそれぞれＤＡＣ９ａ，９ｂへ出力する（Ｓ５７）。
【０１１３】
また、制御部１は、Ｗ−ＣＤＭＡ受信モジュール７から通知される通信品質情報に基づいて、ＤＡＣ９ａ，９ｂへ送出するＩ，Ｑの値を微調整する調整処理を実行し（Ｓ５８）、ステップＳ５１へ処理を戻し、受信チャンネル又は利用形態が変更される都度、ステップＳ５５〜Ｓ５８の処理を繰り返す。なお、ステップＳ５８のＩ，Ｑの値の調整処理は、図５及び図６で説明した処理である。
【０１１４】
上述したように、本実施形態３の通信装置１０では、受信信号を受信する際の受信チャンネル及び利用形態に応じて、位相振幅調整ＩＣ９へ入力されるノイズ信号（ノイズキャプチャー用アンテナ８ａ，８ｂ，８ｃによって検出されるノイズ信号）を切り替えると共に、位相振幅調整ＩＣ９へ入力されるＩ，Ｑの値を切り替える。従って、通信装置１０は、受信チャンネル及び利用形態に応じて、それぞれの受信チャンネルで受信される受信信号に含まれるノイズ信号を最適に除去することができるので、受信信号の通信品質を向上させることができ、通信品質の良い受信信号を取得することができる。
【０１１５】
上述した実施形態３では、通信装置１０の利用形態を、ＬＣＤ開状態及びＬＣＤ閉状態とし、ＬＣＤの状態が変更された場合に、スイッチ８ｄによる切替及び位相振幅調整ＩＣ９に入力されるＩ，Ｑの値を制御する構成を例に説明した。このような構成のほかに、例えば、操作部５に対する表示部６の開放角度に応じて、スイッチ８ｄによる切替及び位相振幅調整ＩＣ９に入力されるＩ，Ｑの値を制御する構成とすることもできる。この場合、操作部５に対する表示部６の開放状態に応じてより詳細な制御が可能となる。
【０１１６】
上述した実施形態３では、位相振幅制御コントローラ１１が、Ｗ−ＣＤＭＡ受信モジュール７から通知される受信チャンネルが変更されたと判断した場合、又は利用形態判定部１３から通知される利用形態が変更されたと判断した場合に、スイッチ８ｄへ送出するアンテナ切替番号とＤＡＣ９ａ，９ｂへ送出するＩ，Ｑの値とを切り替える構成を例に説明した。このような構成のほかに、例えば、Ｗ−ＣＤＭＡ受信モジュール７から通知される受信チャンネル、又は利用形態判定部１３から通知される利用形態を定期的に監視し、それぞれの監視時点での受信チャンネル及び利用形態に応じてアンテナ切替番号及びＩ，Ｑの値を切り替える構成としてもよい。
【０１１７】
（実施形態４）
以下に、本発明に係る通信装置について、実施形態４を示す図面に基づいて詳述する。なお、本実施形態４の通信装置は、上述した実施形態１の通信装置１０と同様の構成を有しており、同様の構成については同一の符号を付して説明を省略する。
【０１１８】
上述した実施形態１の通信装置１０は、受信信号を受信する際の受信チャンネルに応じて、スイッチ８ｄによる切替及び位相振幅調整ＩＣ９に入力されるＩ，Ｑの値を制御する構成であった。本実施形態４の通信装置１０は、設定条件として、スイッチ８ｄによる切替のアンテナ切替番号及びＩ，Ｑの値を複数登録しておき、スイッチ８ｄによる切替及び位相振幅調整ＩＣ９に入力されるＩ，Ｑの値を制御する際に、各設定条件に基づいてノイズ除去を行ない、最良の通信品質が得られた設定条件を用いる構成である。
【０１１９】
本実施形態４では、通信装置１０のＨＤＤ４に格納されている切替制御テーブル４ａは、図１３に示すような切替制御テーブル４ａである。図１３は実施形態４の切替制御テーブル４ａの登録内容を示す模式図である。図１３に示すように、本実施形態４の切替制御テーブル４ａには、各設定条件を識別するための設定番号に対応させて、アンテナ切替番号と、受信チャンネル毎に予め設定されたノイズ除去用パラメータであるＩ，Ｑの値とが登録されている。
【０１２０】
以下に、本実施形態４の位相振幅制御コントローラ１１が行なう位相振幅制御処理について説明する。Ｗ−ＣＤＭＡ受信モジュール７は、通信用アンテナ７ａを介して受信した受信信号に基づいて、受信信号の通信品質を示す通信品質情報を定期的に（随時）検出しており、通信品質情報を検出する都度、検出した通信品質情報を位相振幅制御コントローラ１１へ通知する。位相振幅制御コントローラ１１は、Ｗ−ＣＤＭＡ受信モジュール７から適宜通知される通信品質情報に基づいて、通信品質が悪化したか否かを判断する。
【０１２１】
具体的には、位相振幅制御コントローラ（取得手段）１１は、Ｗ−ＣＤＭＡ受信モジュール７から通信品質情報を取得した場合、取得した通信品質情報（通信品質）が所定範囲内の数値であるか否かを判断する。なお、所定範囲を示す数値は予めＲＯＭ２又はＨＤＤ４に格納されており、通信品質情報としてＢＥＲを用いる場合、例えば、「１．０×１０-4％以上」を所定範囲とすることができる。
【０１２２】
Ｗ−ＣＤＭＡ受信モジュール７から取得した通信品質情報が所定範囲内であると判断した場合、即ち、通信品質が所定範囲以上に保たれている場合、位相振幅制御コントローラ１１は何も行なわない。一方、Ｗ−ＣＤＭＡ受信モジュール７から取得した通信品質情報が所定範囲内でないと判断した場合、即ち、通信品質が所定範囲以上に悪化した場合、位相振幅制御コントローラ１１は、切替制御テーブル４ａに登録されている設定条件を１つ読み出し、アンテナ切替番号をスイッチ８ｄへ送出し、Ｉの値をＤＡＣ９ａへ送出し、Ｑの値をＤＡＣ９ｂへ送出する。
【０１２３】
これにより、スイッチ８ｄは、位相振幅制御コントローラ１１から取得したアンテナ切替番号に従って、第１ノイズキャプチャー用アンテナ８ａ、第２ノイズキャプチャー用アンテナ８ｂ及び第３ノイズキャプチャー用アンテナ８ｃのいずれかを選択し、選択したノイズキャプチャー用アンテナ８ａ（又は８ｂ，８ｃ）から取得したノイズ信号を位相振幅調整ＩＣ９へ送出する。また、位相振幅調整ＩＣ９が、スイッチ８ｄから入力されたノイズ信号の位相及び振幅を、ＤＡＣ９ａ，９ｂを介して入力されたＩの値及びＱの値を用いて調整し、得られた信号を逆相にし、通信用アンテナ７ａが受信した受信信号に加算することにより、受信信号からノイズ信号を除去する。
【０１２４】
Ｗ−ＣＤＭＡ受信モジュール７は、このようにノイズ信号を除去された受信信号を取得し、取得した受信信号の通信品質情報を検出し、検出した通信品質情報を位相振幅制御コントローラ１１へ通知する。そして、位相振幅制御コントローラ１１は、取得した通信品質情報を、この時点での設定条件の設定番号に対応させてＲＡＭ３に格納する。
【０１２５】
位相振幅制御コントローラ１１は、切替制御テーブル４ａに登録されている全ての設定条件について、上述したような処理を行なうことによって、それぞれの設定条件に対する通信品質情報を取得してＲＡＭ３に格納する。切替制御テーブル４ａに登録されている全ての設定条件に対応する通信品質情報をＲＡＭ３に格納できた場合、位相振幅制御コントローラ（特定手段）１１は、最良の通信品質情報を特定し、この通信品質情報が得られた設定条件を特定する。そして、位相振幅制御コントローラ１１は、特定した設定条件のアンテナ切替番号をスイッチ８ｄへ送出し、Ｉの値をＤＡＣ９ａへ送出し、Ｑの値をＤＡＣ９ｂへ送出する。
【０１２６】
これにより、位相振幅制御コントローラ１１は、切替制御テーブル４ａに登録されている設定条件のうちで、最良の通信品質情報が得られる設定条件を特定することができ、このような設定条件に基づいて、受信信号からノイズ信号を適切に除去することができる。なお、通信品質情報が良好であるか否かを判断する基準としての所定範囲は、受信する受信信号の種類等に応じて異なる値を設定しておいてもよく、適宜変更できるように構成してもよい。
【０１２７】
また、位相振幅制御コントローラ１１は、上述したように最良の通信品質情報が得られる設定条件に基づくノイズ除去処理を開始した場合にも、Ｗ−ＣＤＭＡ受信モジュール７から随時通知される通信品質情報に基づいて、ＤＡＣ９ａ，９ｂへ送出するＩ，Ｑの値を微調整する調整処理を行なっており、この調整処理については、実施形態１で説明した処理と同様である。
【０１２８】
上述した処理により、本実施形態４の通信装置１０は、通信用アンテナ７ａを介して受信している受信信号の通信品質が悪化した場合のように、最適なタイミングで、最良の通信品質が得られる設定条件に設定し直すことができる。
【０１２９】
以下に、上述した構成の通信装置１０において、位相振幅制御コントローラ１１が行なう位相振幅制御処理についてフローチャートに基づいて説明する。図１４及び図１５は実施形態４の位相振幅制御処理の手順を示すフローチャートである。なお、以下の処理は、通信装置１０のＨＤＤ４に格納されている位相振幅制御処理プログラム４ｂに従って制御部１によって実行される。
【０１３０】
通信装置１０の制御部１（位相振幅制御コントローラ１１）は、Ｗ−ＣＤＭＡ受信モジュール７から通信品質情報（以下、ＢＥＲとする）を取得したか否かを判断しており（Ｓ６１）、取得していないと判断した場合（Ｓ６１：ＮＯ）、他の処理を行ないつつ待機する。制御部１は、ＢＥＲを取得したと判断した場合（Ｓ６１：ＹＥＳ）、取得したＢＥＲが所定範囲内であるか否かを判断し（Ｓ６２）、所定範囲内であると判断した場合（Ｓ６２：ＹＥＳ）、ステップＳ６１へ処理を戻し、他の処理を行ないつつ待機する。
【０１３１】
ＢＥＲが所定範囲内でないと判断した場合（Ｓ６２：ＮＯ）、制御部１は、切替制御テーブル４ａに登録されている設定条件を１つ読み出す（Ｓ６３）。制御部１は、読み出した設定条件のうちのアンテナ切替番号をスイッチ８ｄへ出力し（Ｓ６４）、読み出した設定条件のうちのＩ，Ｑの値をそれぞれＤＡＣ９ａ，９ｂへ出力する（Ｓ６５）。
【０１３２】
制御部１は、Ｗ−ＣＤＭＡ受信モジュール７からＢＥＲを取得したか否かを判断しており（Ｓ６６）、取得していないと判断した場合（Ｓ６６：ＮＯ）、取得するまで待機する。制御部１は、Ｗ−ＣＤＭＡ受信モジュール７からＢＥＲを取得したと判断した場合（Ｓ６６：ＹＥＳ）、ステップＳ６３で読み出した設定条件の設定番号に対応させてＢＥＲをＲＡＭ３に記憶させる（Ｓ６７）。
【０１３３】
制御部１は、切替制御テーブル４ａに登録してある全ての設定条件を読み出したか否かを判断し（Ｓ６８）、読み出していないと判断した場合（Ｓ６８：ＮＯ）、ステップＳ６３へ処理を戻し、ステップＳ６３〜Ｓ６８の処理を繰り返す。制御部１は、切替制御テーブル４ａに登録してある全ての設定条件を読み出したと判断した場合（Ｓ６８：ＹＥＳ）、ステップＳ６７で設定番号に対応させてＲＡＭ３に記憶させたＢＥＲを比較し、最良のＢＥＲを特定する（Ｓ６９）。
【０１３４】
制御部１は、特定したＢＥＲに対応してＲＡＭ３に記憶されている設定番号に基づいて、このＢＥＲに対応する設定条件を切替制御テーブル４ａから読み出し（Ｓ７０）、読み出した設定条件のうちのアンテナ切替番号をスイッチ８ｄへ出力し（Ｓ７１）、読み出した設定条件のうちのＩ，Ｑの値をそれぞれＤＡＣ９ａ，９ｂへ出力する（Ｓ７２）。
【０１３５】
また、制御部１は、Ｗ−ＣＤＭＡ受信モジュール７から通知される通信品質情報に基づいて、ＤＡＣ９ａ，９ｂへ送出するＩ，Ｑの値を微調整する調整処理を実行し（Ｓ７３）、ステップＳ６１へ処理を戻し、ＢＥＲが所定範囲から外れる都度、ステップＳ６３〜Ｓ７３の処理を繰り返す。なお、ステップＳ７３のＩ，Ｑの値の調整処理は、図５及び図６で説明した処理である。
【０１３６】
上述したように、本実施形態４の通信装置１０では、切替制御テーブル４ａに登録されている設定条件のうちで最良の通信品質情報が得られる設定条件を特定し、特定された設定条件に従って、位相振幅調整ＩＣ９へ入力されるノイズ信号（ノイズキャプチャー用アンテナ８ａ，８ｂ，８ｃによって検出されるノイズ信号）を切り替えると共に、位相振幅調整ＩＣ９へ入力されるＩ，Ｑの値を切り替える。従って、通信装置１０は、受信される受信信号に含まれるノイズ信号を最適に除去することができるので、受信信号の通信品質を向上させることができ、通信品質の良い受信信号を取得することができる。
【０１３７】
上述した実施形態４では、位相振幅制御コントローラ１１が、Ｗ−ＣＤＭＡ受信モジュール７から通知される通信品質情報が所定範囲よりも悪化した場合に、最良の通信品質が得られる設定条件への制御処理を行なう構成を例に説明した。このような構成のほかに、例えば、実施形態２の通信装置１０のように起動中のアプリケーションを判定する構成を備え、起動中のアプリケーションが変更された場合に、最良の通信品質が得られる設定条件への制御処理を行なうように構成してもよい。
【０１３８】
また、実施形態３の通信装置１０のように通信装置１０の利用形態を判定する構成を備え、通信装置１０の利用形態が変更された場合に、最良の通信品質が得られる設定条件への制御処理を行なうように構成してもよい。更に、定期的に、最良の通信品質が得られる設定条件への制御処理を行なうように構成してもよい。
【０１３９】
上述した実施形態１〜４では、制御部１が位相振幅制御処理プログラム４ｂを実行することによって位相振幅制御コントローラ１１を実現する構成を例に説明した。この構成のほかに、例えば位相振幅制御コントローラ１１の機能をＷ−ＣＤＭＡ受信モジュール７に持たせるように構成してもよい。
【０１４０】
上述した実施形態１〜４では、通信用アンテナ７ａが受信信号を受信する際の受信チャンネルを、Ｗ−ＣＤＭＡ受信モジュール７が、最寄りの基地局からの指示又はユーザからの指定に従って特定し、受信チャンネルが特定されている状況での最適なノイズ除去用パラメータ（スイッチ８ｄが行なう切替処理に用いるアンテナ切替番号及びＩ，Ｑの値）を切替制御テーブル４ａから特定する構成を例に説明した。
【０１４１】
このように、受信チャンネルが特定されている状況のほかに、通信開始時に複数の受信チャンネルを短時間でスキャンし、基地局からの受信信号を受信する受信チャンネルを特定する際に、それぞれの受信チャンネルに対して最適なノイズ除去用パラメータ（スイッチ８ｄが行なう切替処理に用いるアンテナ切替番号及びＩ，Ｑの値）を切替制御テーブル４ａから特定する構成とすることもできる。この場合、通信装置１０が基地局から遠い場所にあるため、基地局からの受信信号が減衰することによって相対的にノイズ信号が過大となる状況においても、ノイズ信号を最適に除去できるので、基地局からの受信信号を精度よく受信することができ、通信を開始することができる。
【図面の簡単な説明】
【０１４２】
【図１】実施形態１の通信装置の構成を示すブロック図である。
【図２】実施形態１の通信装置の機能を示す機能ブロック図である。
【図３】実施形態１の切替制御テーブルの登録内容を示す模式図である。
【図４】実施形態１の位相振幅制御処理の手順を示すフローチャートである。
【図５】Ｉ，Ｑの値の調整処理の手順を示すフローチャートである。
【図６】Ｉ，Ｑの値の調整処理の手順を示すフローチャートである。
【図７】実施形態２の通信装置の機能を示す機能ブロック図である。
【図８】実施形態２の切替制御テーブルの登録内容を示す模式図である。
【図９】実施形態２の位相振幅制御処理の手順を示すフローチャートである。
【図１０】実施形態３の通信装置の機能を示す機能ブロック図である。
【図１１】実施形態３の切替制御テーブルの登録内容を示す模式図である。
【図１２】実施形態３の位相振幅制御処理の手順を示すフローチャートである。
【図１３】実施形態４の切替制御テーブルの登録内容を示す模式図である。
【図１４】実施形態４の位相振幅制御処理の手順を示すフローチャートである。
【図１５】実施形態４の位相振幅制御処理の手順を示すフローチャートである。
【図１６】従来の技術について説明するための模式図である。
【符号の説明】
【０１４３】
１０  通信装置
１  制御部（実行手段）
１１  位相振幅制御コントローラ
１２  起動アプリケーション判定部（判定手段）
１３  利用形態判定部（判定手段）
４  ＨＤＤ
４ａ  切替制御テーブル（パラメータテーブル）
７  Ｗ−ＣＤＭＡ受信モジュール
７ａ  通信用アンテナ（受信手段）
８  ノイズ信号検出部
８ａ，８ｂ，８ｃ  ノイズキャプチャー用アンテナ（検出手段）
８ｄ  スイッチ（選択手段）
９  位相振幅調整ＩＣ（除去手段）
【図１】
0004941338.tif 000002
【図２】
0004941338.tif 000003
【図３】
0004941338.tif 000004
【図４】
0004941338.tif 000005
【図５】
0004941338.tif 000006
【図６】
0004941338.tif 000007
【図７】
0004941338.tif 000008
【図８】
0004941338.tif 000009
【図９】
0004941338.tif 000010
【図１０】
0004941338.tif 000011
【図１１】
0004941338.tif 000012
【図１２】
0004941338.tif 000013
【図１３】
0004941338.tif 000014
【図１４】
0004941338.tif 000015
【図１５】
0004941338.tif 000016
【図１６】
0004941338.tif 000017